(57)【特許請求の範囲】
【請求項１】
プログラムレンズシャッタを備えたカメラにおいて、
被写界輝度を測定する測光部と、
被写界輝度を変数としたときのシャッタ速度が、所定の被写界輝度以上の被写界輝度において、所定の第１のシャッタ速度と該シャッタ速度よりも高速の第２のシャッタ速度の間で複数回繰り返し変化する第１のプログラムに従ってシャッタのプログラム制御を行うシャッタ制御部と、
前記第１のシャッタ速度を設定するシャッタ速度設定部とを備え、
前記シャッタ制御部は、前記シャッタ速度設定部で設定されたシャッタ速度を前記第１のシャッタ速度とするプログラムに従ってシャッタのプログラム制御を行うものであることを特徴とするカメラ。
【請求項２】
前記シャッタ制御部は、１／１００秒を前記第１のシャッタ速度とするプログラムに従ってシャッタのプログラム制御を行うものであることを特徴とする請求項１記載のカメラ。
【請求項３】
撮影距離調節自在な撮影レンズを備えるとともに、該撮影レンズの撮影距離を所定距離に固定して撮影を行うピント固定モードを有し、
前記シャッタ制御部は、前記ピント固定撮影モードにて撮影を行う場合に、前記第１のプログラムに従ってシャッタのプログラム制御を行うものであることを特徴とする請求項１記載のカメラ。
【発明の詳細な説明】
【０００１】
【発明の属する技術分野】
本発明は、プログラムレンズシャッタを備えたカメラに関する。
【０００２】
【従来の技術】
従来より、プログラムレンズシャッタを備えた、写真フィルム上に写真撮影を行うカメラや電子スチールカメラ等のカメラが知られている。プログラムレンズシャッタを備えたカメラにおける、被写界輝度（Ｌｉｇｈｔ  Ｖａｌｕｅ：以下、これをＬＶ値と称する）を変数としたときのシャッタ速度は、適正露出で写真撮影が行えるようなプログラムに従ってプログラム制御される。
【０００３】
図６は、従来より知られている、プログラムレンズシャッタを備えたカメラの、露出値（Ｅｘｐｏｓｕｒｅ  Ｖａｌｕｅ：以下、これをＥＶ値と称する）に応じた絞り値とシャッタ速度の組み合わせを定めたプログラムを示す、代表的なプログラム線図である。
【０００４】
この図６に示すプログラム線図の横軸はシャッタ速度を示し、縦軸は絞り値を示し、斜め線はＥＶ値を示す。
【０００５】
ここで、異なるＩＳＯ感度の写真フィルム同士を比較すると、適正露出を得るために必要な、写真フィルムに取り込む光の量は、写真フィルムのＩＳＯ感度の高低に反比例するため、写真フィルムの感度をＩＳＯ感度１００の感度に対して１段上げると、ＥＶ値もＬＶ値に対して１段上がる。ＩＳＯ感度１００の感度の写真フィルムの場合はＬＶ値とＥＶ値は等しい値となるため、例えば、ＩＳＯ感度１００の感度の写真フィルムを用いる場合にＬＶ値がＬＶ５の場合はＥＶ値がＥＶ５となるが、ＩＳＯ感度１００の感度の写真フィルムよりも１段高い感度のＩＳＯ感度２００の感度の写真フィルムを用いる場合は、例えば、ＬＶ値がＬＶ５の場合はＥＶ値がＥＶ６となる。
【０００６】
以下、ＬＶ値とＥＶ値とが等しい値となるＩＳＯ感度１００の感度の写真フィルムを用いた場合の例で、図６に示すプログラム線図を説明する。
【０００７】
図６に破線で示すプログラムによると、ＥＶ値がＥＶ１７からＥＶ１２までの被写界輝度範囲の被写体の撮影に際しては、ＥＶ値を変数としたときに、ＥＶ値が低下するに従ってシャッタ速度を徐々に遅くしていくと同時に絞りを徐々に開くことにより露出調整を行っている。
【０００８】
また、この図６に示すプログラムによると、ＥＶ値がＥＶ１２よりも低い領域の被写体の撮影に際しては、ＥＶ値を変数としたときに、絞り値はＦ４．５に固定したままで、ＥＶ値が低下するに従ってシャッタ速度を徐々に遅くすることにより露出調整を行っている。
【０００９】
【発明が解決しようとする課題】
図６に破線で示すプログラムに従って、明るい場所、例えばＬＶ値がＬＶ１７の状況で、ＩＳＯ感度１００の感度の写真フィルムを用いて写真撮影を行う場合は、上述したようにＥＶ値がＥＶ１７となるため、絞り値がＦ１６、シャッタ速度が１／５００秒の組み合わせに設定される。この組み合わせで写真撮影を行うと、近距離から遠距離までピントが合った、被写界深度の深い写真の撮影が可能である。
【００１０】
ところが、この図６に示すプログラムに従って、例えばＬＶ値がＬＶ１４の場所で、ＩＳＯ感度１００の感度の写真フィルムを用いて外光による写真撮影を行う場合には、上述したようにＥＶ値がＥＶ１４となるため、絞り値が約Ｆ８、シャッタ速度が約１／２５０秒の組み合わせに設定される。この組み合わせにおける絞り値（約Ｆ８）と、上述したＬＶ値がＬＶ１７の状況で写真撮影を行った場合に設定された絞り値（Ｆ１６）とを比較すると、約Ｆ８という絞り値はＦ１６という絞り値よりも２段程度絞りを開けた絞り値となっている。従って、ＬＶ１４の状況で写真撮影を行った場合は、ＬＶ１７の状況で写真撮影を行った場合よりもピントの合う範囲が狭まり、被写界深度の浅い写真となってしまう。その結果、ＬＶ１４の状況で写真撮影を行った場合は、ピントを合わせた主被写体の周囲がぼやけて鮮明に写らないおそれがある。
【００１１】
本発明は、上記事情に鑑み、外光による写真撮影を行う場合に、ピントを合わせた主被写体の周囲の状況についても鮮明に写すことのできるカメラを提供することを目的とする。
【００１２】
【課題を解決するための手段】
上記目的を達成する本発明のカメラは、
プログラムレンズシャッタを備えたカメラにおいて、
被写界輝度を測定する測光部と、
被写界輝度を変数としたときのシャッタ速度が、所定の被写界輝度以上の被写界輝度において、所定の第１のシャッタ速度とこのシャッタ速度よりも高速の第２のシャッタ速度の間で複数回繰り返し変化する第１のプログラムに従ってシャッタのプログラム制御を行うシャッタ制御部とを備えたことを特徴とする。
【００１３】
本発明は、所定の被写界輝度以上の被写界輝度において、所定の低速のシャッタ速度と所定の高速のシャッタ速度との間で、測定された被写界輝度を変数としたときのシャッタ速度を複数回繰り返し変化させるプログラムに従ってシャッタのプログラム制御を行うシャッタ制御部を備えたものであるため、薄暗い場所で外光による写真撮影を行う場合においても、ピントを合わせた主被写体の周囲の状況についても鮮明に写すことのできるカメラが実現される。
【００１４】
また、上記本発明のカメラにおいて、上記シャッタ制御部は、１／１００秒を上記第１のシャッタ速度とするプログラムに従ってシャッタのプログラム制御を行うものであることが好ましい。
【００１５】
一般に、焦点距離が３０ｍｍのレンズを備えたカメラでは、シャッタ速度が１／３０秒の場合が、三脚等の固定器具を用いることなく、手持ちで撮影できる最も遅いシャッタ速度と言われているが、外光による屋外での撮影では、屋内での撮影と比べ、動きの速い被写体が多いため、シャッタ速度を１／３０秒として手持ちで撮影すると手ぶれの影響が考えられる場合がある。この点に鑑み、上記第１のシャッタ速度を、１／３０秒よりもやや速い１／１００秒とすることが好ましい。
【００１６】
さらに、上記本発明のカメラは、上記第１のシャッタ速度を設定するシャッタ速度設定部を備え、
上記シャッタ制御部は、上記シャッタ速度設定部で設定されたシャッタ速度を上記第１のシャッタ速度とするプログラムに従ってシャッタのプログラム制御を行うものであることも好ましい形態である。
【００１７】
このようなシャッタ速度設定部を備えたカメラによれば、撮影者により手ぶれを起こすシャッタ速度が異なる場合でも、シャッタ速度を任意のシャッタ速度に調節することができる。
【００１８】
また、上記本発明のカメラは、撮影距離調節自在な撮影レンズを備えるとともに、該撮影レンズの撮影距離を所定距離に固定して撮影を行うピント固定モードを有し、
上記シャッタ制御部は、上記ピント固定撮影モードにて撮影を行う場合に、上記第１のプログラムに従ってシャッタのプログラム制御を行うものであってもよい。
【００１９】
ここで、ピント固定モードには、レンズの撮影距離を、例えば、主に撮影頻度の高い１ｍ〜３ｍの被写体にピントが合うように一定の値に固定して撮影を行うようにしたスナップ撮影モードや、レンズの撮影距離を４０ｃｍ〜６０ｃｍに固定して撮影を行うことにより顔にピントを合わせるようにするとともに背景の様子もおおよそ認識可能にした自己撮影モードなどがある。
【００２０】
スナップ撮影モードおよび自己撮影モードのいづれの場合も広い範囲にピントがあうことがのぞましいが、同じ明るさで比較して従来のシャッタープログラムに比べてより絞りが大きい値に設定される本発明のシャッタのプログラム制御が有効である。
【００２１】
【発明の実施の形態】
以下、本発明の実施形態について説明する。
【００２２】
図１は、本発明のカメラの第１実施形態である、プログラムレンズシャッタを備えたカメラを前面斜め上から見た外観斜視図である。
【００２３】
図１に示すカメラ１０は、図示しない写真フィルム上に写真撮影を行うカメラである。
【００２４】
このカメラ１０の前面中央部には、撮影レンズ１１ａを内部に備えたレンズ鏡胴１１が備えられている。また、このカメラ１０の前面上部には、フラッシュ発光窓１２、ファインダ対物窓１３、オートフォーカス（ＡＦ）用の発光素子が内蔵されたＡＦ投光窓１４ａ、このＡＦ投光窓１４ａから投光され被写体で反射して戻ってきた光を受光する受光素子が内蔵されたＡＦ受光窓１４ｂ、および内蔵された露出調整用のＡＥセンサに光を導く、被写界輝度（Ｌｉｇｈｔ  Ｖａｉｕｅ：以下、これをＬＶ値と称する）測定用のＡＥ受光窓１５が配備されている。
【００２５】
また、このカメラ１０の上面には、シャッタボタン１６と、回転式のセレクトダイヤル１８とが備えられている。このセレクトダイヤル１８を回し、セレクトダイヤル１８上に印刷された指標を、カメラ１０の上面に印刷されたモードに合わせることにより、図１に示すＯＦＦ状態のほか、プログラムモード（Ｐ）、スナップ撮影モード（Ｍ１）、自己撮影モード（Ｍ２）、シャッタ速度設定モード（ＳＥＴ）に切り替えることができる。
【００２６】
図２は、図１に示すカメラを背面斜め上から見た外観斜視図である。
【００２７】
このカメラ１０の背面には、ファインダ接眼窓１７が配備されている。
【００２８】
さらに、このカメラ１０の背面には、液晶表示（ＬＣＤ）パネル１９と、アップボタン２０ａおよびダウンボタン２０ｂとが隣り合った位置に備えられている。
【００２９】
ＯＦＦ状態は、図示しない電池からカメラ１０に電力が供給されない状態であり、セレクトダイヤル１８を回して、プログラムモード（Ｐ）もしくはシャッタ速度設定モード（ＳＥＴ）に切り替えることにより、カメラ１０に電力が供給され、後述する写真撮影やシャッタ速度の設定を行うことが可能な状態となる。
【００３０】
また、プログラムモード（Ｐ）は、上述したＡＥセンサで測定されたＬＶ値に応じて、本発明にいう第１のプログラムに相当するプログラムである、後述するプログラムに従った絞りとシャッタ速度の組み合わせが自動で設定され、設定された絞りとシャッタ速度の組み合わせに基づいて写真撮影を行うためのモードである。
【００３１】
また、スナップ撮影モード（Ｍ１）は、撮影レンズ１１ａの撮影距離が、主に撮影頻度の高い１ｍ〜３ｍの被写体にピントが合うような値に固定され、プログラムモード（Ｐ）と同様の、本発明にいう第１のプログラムに相当するプログラムである、後述するプログラムに従ってシャッタのプログラム制御を行って写真撮影を行うためのモードである。
【００３２】
また、自己撮影モード（Ｍ２）は、レンズの撮影距離が５０ｃｍに固定され、プログラムモード（Ｐ）と同様の、本発明にいう第１のプログラムに相当するプログラムである、後述するプログラムに従ってシャッタのプログラム制御を行って写真撮影を行うためのモードである。
【００３３】
また、シャッタ速度設定モード（ＳＥＴ）は、任意のシャッタ速度を設定するためのモードである。セレクトダイヤル１８をシャッタ速度設定モード（ＳＥＴ）に切り替え、アップボタン２０ａ又はダウンボタン２０ｂを操作することにより、任意のシャッタ速度を設定すると、設定されたシャッタ速度がＬＣＤパネル１９に表示される。また、任意のシャッタ速度を設定すると、このシャッタ速度よりも高速のシャッタ速度が、カメラ内部でプログラム制御用に自動設定される。このようにして設定された２つのシャッタ速度相互間で、ＥＶ値を変数としたときのシャッタ速度を複数回繰り返し変化させるプログラムが設定され、このプログラムに従ってシャッタのプログラム制御が行われる。
【００３４】
図３は、第１実施形態のカメラにおける、露出値（Ｅｘｐｏｓｕｒｅ  Ｖａｌｕｅ：以下、これをＥＶ値と称する）に応じた絞り値とシャッタ速度の組み合わせを定めたプログラム線図である。
【００３５】
この図３に示すプログラム線図の横軸はシャッタ速度を示し、縦軸は絞り値を示し、斜め線はＥＶ値を示す。
【００３６】
以下、従来の技術の欄で説明したように、ＬＶ値とＥＶ値とが等しい値となるＩＳＯ感度１００の感度の写真フィルムを第１実施形態のカメラに用いた場合の例で、図３に示すプログラム線図を説明する。
【００３７】
また、この図３に実線で示す、本発明にいう第１のプログラムに相当するプログラムは、上述したシャッタ速度設定モード（ＳＥＴ）でシャッタ速度を１／１００秒のシャッタ速度に設定することにより、１／１００秒のシャッタ速度が設定されると同時に、このシャッタ速度よりも高速の１／１８０秒のシャッタ速度が自動設定された場合の例である。
【００３８】
図３に実線で示すプログラムによると、ＥＶ値がＥＶ１７からＥＶ１１までの、外光による撮影が可能な被写界輝度範囲のうちの、ＥＶ値がＥＶ１７からＥＶ１４．５までの被写界輝度範囲での被写体の撮影に際しては、絞り値をＦ１６に固定したままで、ＥＶ値が低下するに従ってシャッタ速度を１／５００秒から徐々に遅くすることにより露出調整を行っている。この露出調整では、ＥＶ値を変数としたときにＥＶ値がＥＶ１４．５に達すると、シャッタ速度は１／１００秒に達する。
【００３９】
また、外光による撮影が可能な被写界輝度範囲のうちの、ＥＶ値がＥＶ１４．５からＥＶ１１．５までの被写界輝度範囲での被写体の撮影に際しては、ＥＶ値を変数としたときのシャッタ速度を、上述したシャッタ速度設定モード（ＳＥＴ）で設定された１／１００秒のシャッタ速度と、このシャッタ速度よりも高速の、自動設定された１／１８０秒のシャッタ速度の間で複数回繰り返し変化させるプログラムに従ってシャッタのプログラム制御を行っている。
【００４０】
また、ＥＶ値がＥＶ１１．５よりも低い値となる被写体の撮影に際しては、絞り値はＦ４．５に固定したままで、ＥＶ値が低下するに従ってシャッタ速度を徐々に遅くするプログラムに従って露出調整を行っている。
【００４１】
図３に実線で示すプログラムに従って、明るい場所、例えばＬＶ値がＬＶ１７の状況でＩＳＯ感度１００の感度の写真フィルムを用いて写真撮影を行う場合は、ＥＶ値がＥＶ１７となり、絞り値がＦ１６、シャッタ速度が１／５００秒の組み合わせに設定される。この組み合わせで写真撮影を行うと、近距離から遠距離までピントが合った、被写界深度の深い写真の撮影が可能である。
【００４２】
また、この図３に示すプログラムに従って、例えば、ＩＳＯ感度１００のフィルムを用いて、ＬＶ値がＬＶ１４の外光による写真撮影を行う場合には、ＥＶ値がＥＶ１４となり、絞り値が約Ｆ１１、シャッタ速度が約１／１２５秒の組み合わせに設定される。
【００４３】
これに対し、従来の技術の欄で図６を参照して説明した従来のカメラは、ＥＶ値がＥＶ１７からＥＶ１２までの被写界輝度範囲の被写体の撮影に際しては、ＥＶ値を変数としたときに、ＥＶ値が低下するに従ってシャッタ速度を徐々に遅くしていくと同時に絞りを徐々に開くプログラムレンズシャッタにより露出調整を行うものであるため、図６に示すプログラムに従って、例えばＬＶ値がＬＶ１４の場所でＩＳＯ感度１００の感度の写真フィルムを用いて外光による写真撮影を行う場合には、絞り値が約Ｆ８、シャッタ速度が約１／２５０秒の組み合わせに設定される。
【００４４】
従来のカメラにおいて設定されるこの組み合わせで写真撮影を行った場合の絞り値およびシャッタ速度と、第１実施形態のカメラにおいてＬＶ値がＬＶ１４の状況で写真撮影を行う場合に設定される、上述した絞り値およびシャッタ速度とをそれぞれ比較すると、従来のカメラでは１／２５０秒に設定されるシャッタ速度が、第１実施形態のカメラでは、半分のシャッタ速度である１／１２５秒に設定される。また、従来のカメラでは絞り値が約Ｆ８に設定されるが、第１実施形態のカメラでは、約Ｆ８よりも１段程度絞り込まれた絞り値であるＦ１１に設定される。
【００４５】
表１に、図１に示す撮影レンズ１１ａの焦点距離が２８ｍｍの場合に、１．５ｍにピントを合わせた際の撮影可能範囲を示す。尚、ここでは、錯乱円径が０．０２５ｍｍ以下であるということをピントの合う基準としている。
【００４６】
【表１】
0004316830.tif 000002
【００４７】
表１に示すように、絞り値が、Ｆ８よりも１段程度絞り込まれたＦ１１に設定されると、撮影可能範囲が広くなることがわかる。
【００４８】
従って、例えばＬＶ値がＬＶ１４のような場所で外光による写真撮影を行う場合、第１実施形態のカメラでは、従来のカメラで設定されるシャッタ速度よりも遅いシャッタ速度が設定されるため、例えば高速で移動する被写体の動きを止めて撮影するような性能は犠牲となる。しかし、第１実施形態のカメラでは、従来のカメラで設定される絞り値よりも絞られた絞り値が設定されるため、従来のカメラよりもピントの合う範囲が広まり、外光による写真撮影を行う場合であっても、ピントを合わせた主被写体の周囲の状況についても鮮明に写すことのできるカメラが実現される。
【００４９】
また、上述したスナップ撮影モード（Ｍ１）を選択して写真撮影を行う場合は、ピントを合わせた主被写体の周囲の状況についても鮮明に写すことができるとともに、オートフォーカスのためのレンズ駆動を省略することが可能になるのでシャッタータイムラグが短くなり、動きの速い被写体の連続撮影も可能になる。
【００５０】
また、上述した自己撮影モード（Ｍ２）を選択して写真撮影を行う場合は、撮影者自身の顔にピントを合わせるようにするとともに背景の様子もおおよそ認識可能になる。
【００５１】
次に、本発明の第２実施形態について説明する。上述した第１実施形態では、シャッタ速度設定モード（ＳＥＴ）で所望のシャッタ速度を本発明の第１のシャッタ速度として設定する。これに対して以下の第２実施形態では、屋外での撮影では屋内での撮影と比べて動きの速い被写体が多いことを考慮し、本発明にいう第１のシャッタ速度の設定が、手持ちで撮影できる最も遅いシャッタ速度と言われている１／３０秒のシャッタ速度よりもやや高速の１／１００秒のシャッタ速度に固定されている。そして、このシャッタ速度と、このシャッタ速度よりも高速の１／１８０秒のシャッタ速度の間で複数回繰り返し変化させるプログラムに従ってシャッタのプログラム制御が行われる。尚、以下の第２実施形態の説明において、上述した第１実施形態のカメラ１０（図１，図２参照）の構成要素と同一の構成要素には同じ符号を付し、重複する説明は省略する。
【００５２】
図４は、本発明のカメラの第２実施形態である、プログラムレンズシャッタを備えたカメラを前面斜め上から見た外観斜視図、図５は、図４に示すカメラを背面斜め上から見た外観斜視図である。
【００５３】
図４に示すカメラ１０´は、上述した図１，図２に示す第１実施形態のカメラ１０と同様、図示しない写真フィルム上に写真撮影を行うカメラである。
【００５４】
このカメラ１０´の上面には、回転式のセレクトダイヤル１８´が備えられている。このセレクトダイヤル１８´を回し、セレクトダイヤル１８´上に印刷された指標を、カメラ１０´の上面に印刷されたモードに合わせることにより、図４に示すＯＦＦ状態のほか、プログラムモード（Ｐ）、スナップ撮影モード（Ｍ１）、自己撮影モード（Ｍ２）に切り替えることができる。
【００５５】
ＯＦＦ状態は、図示しない電池からカメラ１０に電力が供給されない状態であり、セレクトダイヤル１８´を回して、プログラムモード（Ｐ）に切り替えることにより、カメラ１０に電力が供給され写真撮影を行うことが可能な状態となる。
【００５６】
また、プログラムモード（Ｐ）は、上述したＡＥセンサで測定されたＬＶ値に応じて、本発明にいう第１のプログラムに相当するプログラムに従った絞りとシャッタ速度の組み合わせが自動で設定され、設定された絞りとシャッタ速度の組み合わせに基づいて写真撮影を行うためのモードである。
【００５７】
また、スナップ撮影モード（Ｍ１）は、撮影レンズ１１ａの撮影距離が、主に撮影頻度の高い１ｍ〜３ｍの被写体にピントが合うような値に固定され、プログラムモード（Ｐ）と同様の、本発明にいう第１のプログラムに相当するプログラムに従ってシャッタのプログラム制御を行って写真撮影を行うためのモードである。
【００５８】
また、自己撮影モード（Ｍ２）は、レンズの撮影距離が５０ｃｍに固定され、プログラムモード（Ｐ）と同様の、本発明にいう第１のプログラムに相当するプログラムに従ってシャッタのプログラム制御を行って写真撮影を行うためのモードである。
【００５９】
また、第２実施形態のカメラは、外光による撮影が可能な被写界輝度範囲のうちの、ＥＶ１４．５からＥＶ１１までの露出可能な被写体の撮影に際しては、ＥＶ値を変数としたときのシャッタ速度を、１／１００秒のシャッタ速度と、このシャッタ速度よりも高速の１／１８０秒のシャッタ速度の間で複数回繰り返し変化させるプログラムに従ってシャッタのプログラム制御を行うものである。従って、第２実施形態のカメラにおける、ＥＶ値に応じた絞り値とシャッタ速度の組み合わせを定めたプログラムは、第１実施形態のカメラにおいて、シャッタ速度設定モード（ＳＥＴ）でシャッタ速度を１／１００秒のシャッタ速度に設定する場合の例で説明した、図３に実線で示すプログラムと同一である。重複説明を避けるため、ここでの、第２実施形態のカメラにおけるプログラム線図の説明は省略する。
【００６０】
尚、本発明は、上述した各実施形態に示すような、写真フィルム上に写真撮影を行うカメラに限られるものではなく、例えば、撮像素子上に被写体の像を結像させて画像を信号として取り込む電子スチールカメラ等であっても、プログラムレンズシャッタを備えたカメラであればカメラの種類を問わず適用することができる。
【００６１】
【発明の効果】
以上説明したように、本発明によれば、従来より知られている、プログラムレンズシャッタを備えたカメラに比べて、ピントを合わせた主被写体の周囲の状況についても鮮明に写すことのできるカメラが提供される。
【図面の簡単な説明】
【図１】本発明のカメラの第１実施形態である、プログラムレンズシャッタを備えたカメラを前面斜め上から見た外観斜視図である。
【図２】図１に示すカメラを背面斜め上から見た外観斜視図である。
【図３】第１実施形態のカメラにおける、ＥＶ値に応じた絞り値とシャッタ速度の組み合わせを定めたプログラム線図である。
【図４】本発明のカメラの第２実施形態である、プログラムレンズシャッタを備えたカメラを前面斜め上から見た外観斜視図である。
【図５】図４に示すカメラを背面斜め上から見た外観斜視図である。
【図６】従来より知られている、プログラムレンズシャッタを備えたカメラの、ＥＶ値に応じた絞り値とシャッタ速度の組み合わせを定めたプログラムを示す、代表的なプログラム線図である。
【符号の説明】
１０，１０´    カメラ
１１    レンズ鏡胴
１１ａ    撮影レンズ
１２    フラッシュ発光窓
１３    ファインダ対物窓
１４ａ    ＡＦ投光窓
１４ｂ    ＡＦ受光窓
１５    ＡＥ受光窓
１６    シャッタボタン
１７    ファインダ接眼窓
１８，１８´    セレクトダイヤル
１９    ＬＣＤパネル
２０ａ    アップボタン
２０ｂ    ダウンボタン
【図１】
0004316830.tif 000003
【図２】
0004316830.tif 000004
【図３】
0004316830.tif 000005
【図４】
0004316830.tif 000006
【図５】
0004316830.tif 000007
【図６】
0004316830.tif 000008